(57)【要約】【課題】かみそりを安定して保持することができる等、使い勝手のよいかみそり保持器を提供する。【解決手段】かみそりを着脱可能に保持するかみそり保持器において、当接するかみそりの柄を案内するとともに、少なくともかみそりの柄と係脱可能に係合する係合部を設けた。またかみそりを着脱可能に保持するかみそり保持器において、少なくともかみそりの柄と係脱可能に係合する係合部と、係合部と対向して配置されかつ係合部へ向け移動するかみそりの柄を案内する第１案内部を設けた。またかみそりを着脱可能に保持するかみそり保持器において、少なくともかみそりの柄と係脱可能に係合する係合部と、係合部と対向して配置されかつ係合部へ向け移動するかみそりの柄を導入する開口を設けた。また基体の一部を反転するように折曲して形成された折曲部に、少なくともかみそりの柄と係脱可能に係合する係合部を設けた。そして保持されるかみそりと対向する基体に  複数の通気の透孔を分散して形成した。【選択図】  図１
2005192671.tif 000002
【特許請求の範囲】
【請求項１】
かみそりを着脱可能に保持するかみそり保持器において、当接するかみそりの柄を案内するとともに、少なくともかみそりの柄と係脱可能に係合する係合部を設けたかみそり保持器。
【請求項２】
かみそりを着脱可能に保持するかみそり保持器において、少なくともかみそりの柄と係脱可能に係合する係合部と、係合部と対向して配置されかつ係合部へ向け移動するかみそりの柄を案内する第１案内部を設けたかみそり保持器。
【請求項３】
かみそりを着脱可能に保持するかみそり保持器において、少なくともかみそりの柄と係脱可能に係合する係合部と、係合部と対向して配置されかつ係合部へ向け移動するかみそりの柄を導入する開口を設けたかみそり保持器。
【請求項４】
かみそりを着脱可能に保持するかみそり保持器において、基体の一部を反転するように折曲して形成された折曲部に、少なくともかみそりの柄と係脱可能に係合する係合部を設けたかみそり保持器。
【請求項５】
かみそりを着脱可能に保持するかみそり保持器において、少なくともかみそりの柄と係脱可能に係合する係合部を設け、保持されるかみそりと対向する基体に複数の通気の透孔を分散して形成したかみそり保持器。
【発明の詳細な説明】
【技術分野】
【０００１】本発明はかみそりを保持するかみそり保持器にかんする。
【背景技術】
【０００２】湿式安全かみそり等のかみそりを一時的にあるいは適宜に保持するかみそり保持器が開発されている。従来のかみそり保持器としては、例えば、ほぼ垂直に配置された柱部にかみそりを懸架状に保持するものが知られている。しかしこのような懸架式の保持器は、一般的に、かみそりを安定して保持する上で問題があり、安定性にかける憾みがある。
【特許文献】特許登録第３２５００４１号公報  特許登録第３４４８８３２号公報
【発明の開示】
かみそり保持器（以下「保持器」という）には湿式安全かみそり等、種々のかみそりが着脱可能に保持される。保持器はかみそりを保持する機構の１部として係合部を備える。係合部にはかみそりの柄（柄の下端部等の柄の１部）が当接するとともに係脱可能に係合される。係合部と当接して係合するするかみそりの柄は係合部に案内されて移動する。かみそりは所定位置等で安定して保持される。係合部を例えば透孔から形成し、透孔の係合部にかみそりの柄を係脱可能に係合することができる。保持器は基本的な構成要素である基体を有し、基体の一部を反転するように折曲して折曲部が形成される。折曲部は基体と一体に形成され、折曲部に係合部を設けることができる。また係合部を透孔により形成し、係合部を折曲部と一体構造とることができる。基体の一部の折曲により折曲部は容易に形成される。また同様に係合部も容易に形成される。また保持器はかみそりの柄を導入する（また導出する）開口を有する。開口は係合部と対向して配置されている。そこでかみそりの保持のため係合部に向けてかみそりを移動するとき、開口よりかみそりの柄を導入する（柄の下端部から導入する）ことができる。開口は係合部と対向位置にあるから、導入によりかみそりの柄（下端部）が係合部に当接して係合する。保持器は第１案内部を備え、第１案内部は係合部と対向して配置されている。そこでかみそりの保持のため係合部に向けてかみそりを移動するとき、かみそりは第１案内部に案内され係合部に到達する。前記のように開口にもかみそりの柄を係合部に案内する機能があるが、第１案内部によりかみそりの柄はさらに確実に係合部に係合する。これによりかみそりの柄は係合部の所定位置あるいはなるべくそれに近接した位置に到達する。第１案内部を設ける場合は、導入口である開口と到達目的となる係合部との間に配置するのが好ましい。両者の案内機能の併用等により、かみそりの柄はより確実にまた容易に係合部へ到達する。またこのような開口や第１案内部により、かみそりの保持操作が容易となり、使い勝手のよい保持器となる。保持器を構成する基体には複数の通気の透孔が分散して形成されている。基体と対向して保持されるるかみそりは使用後に付着した水分がその保持の間に複数の通気の透から自然蒸発し、水分等の乾燥を行うことができ、水切りにもすぐれた効果がある。このようにして同様に使い勝手のよい保持器が提供される。
【発明が解決しようとする課題】
【０００３】本発明はかみそりを安定して保持持することができる等、使い勝手のよいかみそり保持器を提供するものである。
【課題を解決するための手段】
【０００４】この課題を解決するため本発明は次の手段を採る。すなわち、かみそりを着脱可能に保持するかみそり保持器において、当接するかみそりの柄を案内するとともに、少なくともかみそりの柄と係脱可能に係合する係合部を設けた。また少なくともかみそりの柄と係脱可能に係合する係合部と、係合部と対向して配置されかつ係合部へ向け移動するかみそりの柄を案内する第１案内部を設けた。また少なくともかみそりの柄と係脱可能に係合する係合部と、係合部と対向して配置されかつ係合部へ向け移動するかみそりの柄を導入する開口を設けた。また基体の一部を反転するように折曲して形成された折曲部に、少なくともかみそりの柄と係説可能に係合する係合部を設けた。また少なくともかみそりの柄と係脱可能に係合する係合部を設け、保持されるかみそりと対向する基体に複数の通気の透孔を分散して形成した。
【発明の効果】
【０００５】本発明によれば、はかみそりが安定して保持される等、使い勝手のよいかみそり保持器が提供される。
【発明を実施するための最良の形態】
【０００６】本発明の実施の形態について説明する。かみそり５０はホルダー５１と替刃５４を備え、ホルダー５１の頭部５２に設けられた取着手段（詳細は図示せず、５３はその操作ボタンである）を介し、替刃５４がホルダーの頭部５２に着脱自在に装着される（公知の構造である）。かみそり５０はかみそり保持器１（前記のように「保持器１という）に着脱可能に保持される。すなわちかみそり５０は適宜、かみそり保持器１に装着されまた保持器１から取り外される。保持器１は基体２を備え、基体２が保持器１の基本的な構成要素となっている。基体２は一体に形成された縦長の平板状物であり（基体２の展開図参照）、合成樹脂製が好ましいが、素材の種類は問わない。保持器１は基体２に設けられた第１突出部６０と第２突出部６１を有する。第１突出部６０と第２突出部６２はたがいに対向して配置される。また第１突出部６０は基体の上端縁６３に近接した位置にあり、第２突出部６２は第１突出部６０からやや離れた位置に基体２に対してほぼ垂直状に立設される。【０００７】第１突出部６０と第２突出部６１との間には中央の透孔６６を囲む膨出部６５が設けてある。透孔６６は通気の機能があり湿式かみそり（特に替刃）等に付着した水分が乾燥しやすい。膨出部６５は基体２の強度、剛性を補強し、基体２の変形を防ぐ。保持器１のほぼ中間部、つまり後述の折曲部２７と第２突出部６１との間に基体２の幅方向の起立片６７が設けられる。先端が互いに近接するように傾斜する起立片６７はたがいに対向して配置される。対向する起立片間にスペース６２が形成されスペース６２には予備の替刃カートリッジ５５が装着される。替刃カートリッジ５５は起立片６７の側方側から出し入れ可能である。７０は起立片６７の基端部と連続して形成されたリブであり起立片６７を補強する。傾斜する起立片６７は第２突出部６１より高さが低くしてある。基体２には起立片６７に近接する位置にそれぞれ透孔７１を有する。透孔７１は通気性があり、かみそり５０に付着した水分等が乾燥しやすい。【０００８】基体２は後端７３において係止片６が突出する。係止片６は頸部９と、頸部９の先端部において突出する両側の耳片５を有する。頸部９の長さは基体２の厚みとほぼ同じかあるいは若干大きい。基体２は一方の起立片６７ａの基端部と若干離れた位置に透孔１０を有する。透孔１０は挿入部１１、進入部１２、係止部１３を備える。挿入部１１はほぼ半円形状の透孔でありほぼその直径に相当する部分が幅広部（Ａ−Ａ）となり、この幅広部は係止片６における両側の耳片５、５間の長さより大きい。また挿入部１１に連続する進入部１２は、挿入部１１との接続部分の幅（Ｂ−Ｂ）が頸部９の幅より大きい。また進入部１２には頸部９の幅より幅狭な係止部１３が形成され、係止片６が係止部１３に係止される（この点についてはさらに後述）。【０００９】基体２の表面には第１案内部２１が配設される。第１案内部２１は上向きの凸状の湾曲する隆起面を有する。基体２の展開図において第１案内部２１は平行な裾線Ｘ−Ｘ間の範囲であり、隆起面は表面が平滑である。第１案内部の頂部２２は第２突出部６１より低い位置にある。かみそり５０を保持する場合、通常、かみそり５０を基体２とほぼ並行にかつ保持器１の上端側から下端側へ移動させる。このようなかみそり５０の上下方向の移動（以下「かみそりの上下方向の移動」という）の際、第１案内部２１はかみそりの柄５６と接触しながらかみそり５０を後述の係合部３ａへ案内する。移動するかみそりの柄５６を係合部３ａへ案内する構造であればよく、第１案内部２１は隆起面に限らない。【００１０】第１案内部２１の両側には基体２の両側縁２６、２６に沿い対向する側壁２３が突設される。第１案内部２１の両側に起立する側壁２３はかみそり５０の上下方向の移動の際、かみそりの柄の下端部５９が不測の事態等により案内部２１の両側から外側に移動しようとするような場合、側壁２３がその移動を阻止する。側壁は縁部２５が全体的に角部のないほぼ弧状になっている。これは基体２の下部を折曲して形成された折曲部２７の弧状面にほぼ対応している。そこで折曲部２７に予測外の外力が加わったような場合、側壁の縁部２５が変形しようとする折曲部２７に部分的に当接し、折曲部２７の一定以上の変形を阻止する。【００１１】基体２は裏面に両側縁２６に沿う帯状のリブ７２が設けてある。帯状のリブ７２は第１案内部２１（側壁２３）に対応する部分からほぼ第２突出部６１に対応する部分まで延びる。帯状のリブ７２は裏側から基体２の変形を防止する。帯状のリブ７２のうち第１案内部２１に対応する部分は第１案内部２１および起立する側壁２３を補強する。移動するかみそりの柄５６と接触して案内する第１案内部２１は変形を生じやすいが、凸状の隆起面の第１案内部２１であっても変形を有効に防止する。帯状のリブ７２のその他部分は透孔１０、透孔７１の周辺部位あるいは近辺部位を裏側から補強し、基体２の部分的な変形を防止する。基体２に変形が生じないから、使い勝手のよい保持器１となる。【００１２】基体２は後端縁７３から近い位置にほぼ円形状の透孔７を有する。透孔７は保持器１の折曲部２７におけるかみそりの柄５６を導入する開口７となる。開口７はかみそりの柄５６の導出口となる。基体２は透孔７からやや離れて長手方向に沿う透孔３を有する。透孔３はほぼ長楕円形状であり、幅狭な両端２７、２７から最大幅の中央部２９に漸次幅広となり、また中央部２９近辺における幅の変化は小さい。ほぼ長楕円形状の透孔３の一端２７ａは第１案内部２１の隆起面との境界となる裾線Ｘ−Ｘを越え、中間の頂部２２と裾線Ｘとのほぼ中間まで延びている。図示の場合、透孔３はかみそりの柄５６との係脱可能な、後述する係合部３ａを形成する。裾線Ｘあるいはそれを越えて第１案内部２１に連続する透孔３の一端２７ａにより、かみそりの柄５６は透孔３により形成される係合部３ａとスムーズに当接して係合される。【００１３】かみそりホルダー５１は替刃５４を係止する一対の爪５２ａを設けた頭部５２と柄５６を有する。かみそりの柄５６の幅は一定でなく、かみそりの柄５６は下端縁５７から漸次幅広となる下端部５９を有する。下端部５９は先細であり弧状の下端縁５７から幅広部５８まで延び、その側縁５９ａも弧状である。これをほぼ長楕円形状の透孔３と比較すると、透孔３の最大幅（透孔３の中央部２９）は少なくとも下端部５９の最小幅（つまり柄の下端縁５７）より大きく、かつ下端部５９の幅広部５８より小さい。このような下端部５９は係合部３ａに係合するが、必ずしも下端部５９でなくともよい。このような条件を備えるかみそりの柄５６の少なくとも一部が係合部３ａに係合する。【００１４】展開状の基体２の下部を反転するように折曲して折曲部２７が基体２と一体に形成される（展開図の想像線参照）。折曲部２７は壁部２３の両縁２５にほぼ沿う弧状面を有し、第１案内部２１の上方に天蓋状に形成される。折曲前に復帰しようとする復元力に抗して反転された基体２の下端縁７３を基体の表面７６へと押し下げ、係止片６を透孔１０の係止部１３に係止すると、折曲部２７が形成される。すなわち係止片６を挿入部１１に挿入し、両側の耳片５が基体の裏面７５から突出した状態で、頸部９を挿入部１１に連続する進入部１２へ進入させ、更に係止部１３へと移動させる。係止部１３まで移動した係止片６は両側の耳片５が基体の裏面７５に当接する一方、折曲部２７の復元力により付勢されて係止部１３に係止される。係止片６は孔１０の係止部１３に係脱可能に係止されるが、一旦係止された場合、通常、その係止状態を解除する必要はない。係止状態でも基体２の透孔１０は相当部分が透孔として維持される。これにより保持器１に保持されるかみそり５０に付着した水分等が蒸発し、乾燥しやすい。【００１５】天蓋状の折曲部２７は、上部にかみそりの柄５６を導入する開口７が形成され、下部に基体２の透孔３からなる係合部３ａが形成される（なお上部、下部等の「上下」とは保持器１をほぼ垂直状に立てた状態における上下方向をいう）。係合部３ａにはかみそりの柄５６（少なくとも１部）が係合する。係合部３ａは折曲部の下端縁３０を含む弧状面に形成さている。折曲部２７は係合部３ａを形成する透孔３の最大幅となる中央部２９を含む折り返し線Ｚ−Ｚ上に、折曲部の下端縁３０が位置するのが好ましい。係合部３ａは透孔３の中央部２９を基準とし、表面側の透孔３１と、第１案内部２１の隆起面（平行するＸ−Ｘ線の間）までに延びる裏面側の透孔３２を含む。かみそり５０を保持器１に保持するとき、かみそり５０の上下移動により開口７から係合部３ａに向け導入されるかみそりの柄５６は、少なくともその１部、通常はかみそりの柄５６の下部、そして図示の場合は下端部５９が係合部３ａに当接するとともに係合される。かみそりの柄５６の下部が係合部３ａに係合した状態でかみそりが保持されるから、かみそりを頭部等から懸架するような従来の懸架式の保持器と異なりかみそりが外れたり、ずり落ちたりするようなことはない。【００１６】係合部３ａに当接するかみそりの柄５６は係合部にａにより所定位置へ案内される。所定位置は適宜に選択することができるが、通常は、最も安定した係合が可能となる位置に設定される。そこで、例えば、弧状面を有する折曲部２７においては透孔３の最大幅の中央部２９であるＺ−Ｚ線の位置を所定位置とする。開口７から導入された柄の下端部５９が係合部３ａの所定位置に直接に到達したときは特に問題はない。所定位置から外れて係合部３ａに当接したような場合は、かみそりの柄５６をさらに導入するかのようにわずか動かすのみで、柄５６の両縁５９ａが係合部３ａに当接するとともに所定位置まで案内される。所定位置はかみそりの柄５６の係合部３ａにおける停止位置でもある。【００１７】係合部３ａが透孔の場合、係合部３ａと係合状態にあるかみそりの柄５６の一部が少なくとも透孔３から下方に突出する。図示の場合はかみそりの下端縁５７が透孔３よ下方に突出している（厳密には透孔３に留まった状態でもよい）。係合状態のかみそりの柄５６は係合部３ａの幅方向に移動しないから、安定した保持が維持される。基体２の一部を反転するように折曲して形成される折曲部２７において、係合部３ａは折曲部２７の弧状面に形成される。係合部３ａと当接するかみそりの柄５６は弧状面にある係合部３ａに案内されてスムーズに所定位置等に移動する。【００１８】保持器１において、係合部３ａ、第１案内部２１、開口７の配置関係をみると、まず開口７と係合部３ａは互いに対向して配置されている。すなわち係合部３ａに向けてかみそりの柄５６を開口７から導入すると、かみそりの柄の下端部５９が係合部３ａに当接して係合されるように設定されている。係合部３ａにおける所定位置あるいはこれに近接位置に到達するように設定するのがよい。また開口７にはかみそり５０を安定して保持する機能もある。保持されたかみそりは開口７内に柄５６が遊嵌状に保持されるから、不測の事態により外力が柄、かみそり、保持器等に加わってもかみそり５０が保持器１から外れたりはしないからである。これは保持器１を垂直状等の立てた状態で配置するとき特に有効である。図示の場合、開口７は折曲部に形成されているが、その構造に限定はなく、例えば、折曲部を備えない構造等においてリング状の開口を設ける等、種々に選択される（図示せず）。【００１９】また第１案内部２１が係合部３ａに対向して配置されている。開口７から導入されたかみそりの柄５６を係合部３ａへ移動するとき、かみりの柄５６は裏面５６ａが第１案内部２１に接触しながら係合部３ａに向けて案内される。すなわちかみそりの柄は下端部５９が係合部３ａに当接して係合されるように構成してある。第１案内部２１によりかみりの柄５６の容易な導入と係合部３ａへの確実な案内が可能となる。
第１案内部２１を凸状の湾曲する隆起面に構成したときは、頂部２２と直交方向に移動するかみそりの柄５６が隆起面の頂部２２に接触しながら円滑に係合部３ａへ向かう。開口７から導入されたかみそりの柄の下端縁５７が、当初は、頂部２２から若干ずれた箇所に接触するような場合でも、柄の下端縁５７は凸状に湾曲する隆起面に沿い頂部２２まで容易に移動し、さらに、そこから係合部３ａへと所定の案内がなされる。【００２０】保持器１に保持された状態において、かみそり５０は柄の下端部５９が係合部３ａに係合され、また柄の頭部５２が第２突出部６１に保持される。この場合かみそり５０は、かみそり柄５６の裏面が案内部２１に当接していてもよい。また当接しないで第１案内部２１との間に若干の間隙があってもよい。適宜に選択される問題である。保持器１は、保持されたかみそりのホルダーの頭部５２が上方に位置するように、通常は垂直状に立てた状態で配置されるが、水平状に配置することもできる。すなわち保持器１は適宜、どのような角度でも配置できる。垂直状に配置するには、基体２の透孔６６に挿入された鋲等の固定具（図示せず）等を介して壁面等に固定すことができる。また吸盤を固定具として使用し、吸盤（図示せず）を介して固定することもできるが、いずれにしても固定手段、方法は問わない。保持されたかみそり５０を取り出すには導入の操作はと逆に、係合部３ａとの係合を解除するようにかみそりの柄５６を折曲部の開口７から導出すればよい。【００２１】保持器１は基体２に形成された複数の透孔を有する。透孔は通気性があり基体２に分散して形成されている。通気性の透孔からは保持器１に保持される湿式かみそり等、かみそり５０に付着した水分等が自然に蒸発する。複数の透孔の配置状況をみると、第１突出部６０と第２突出部６１の間の透孔６６があり、一対の起立片６７の基端部に近接する２つの透孔７１があり、係止片６を挿入するための透孔１０があり、係合部３ａを形成する透孔３（係合部を透孔により構成した場合）があり、またかみそりの柄５６の導入、導出のための開口７がある。例えば、開口７のように、開口７内に柄５６がある状態で開口７はすべて透孔として機能するわけではないが、柄５６は開口７に遊嵌され、透孔として機能する隙間も残されている。このように、保持されるかみそり５０と対向する基体２には、保持器１の上部（透孔６６）、ほぼ中間部（起立片６７に近接する２つの透孔７１、係止片６を挿入するための透孔１０）、下部（係合部３ａ）に透孔が形成されている。折曲部の開口７は保持器１の表側に配置されるが、これも保持器１のほぼ中間部に位置している。これらの透孔は保持器１の１か所に集中することなく適宜に分散しており、保持される湿式かみそり５０に付着した水分等が効率よく蒸発して乾燥する。【００２２】なお保持器１の基本的な構成要素である基体２を合成樹脂製の平板状のものとするときは、樹脂成形金型により成型することができ、また金型構造も単純化される。１パーツとして形成することもでき、設計作業、製造工程が簡易で単純となり、コスト面でも有利である。
【図面の簡単な説明】
【００２３】
【図１】本発明のかみそりを保持した状態を示す保持器の斜視図である。
【図２】保持器を構成する基体の拡大正面図である。
【図３】保持器を構成する基体の正面図である。
【図４】保持器を構成する基体をやや拡大して示す側面図である。
【図５】本発明のかみそりを保持した状態を示す保持器の平面図である。
【図６】図５の保持器の側面図である。
【図７】保持器の一部の断面を示す側面図である。
【図８】保持器の下部を示す平面図である。
【図９】かみそりホルダーの平面図である。
【符号の説明】
１    保持器
２    基体
３    透孔
３ａ  係合部
６    係止片
７    開口
２７  折曲部
５０  かみそり
【図１】
2005192671.tif 000003
【図２】
2005192671.tif 000004
【図３】
2005192671.tif 000005
【図４】
2005192671.tif 000006
【図５】
2005192671.tif 000007
【図６】
2005192671.tif 000008
【図７】
2005192671.tif 000009
【図８】
2005192671.tif 000010
【図９】
2005192671.tif 000011